(57)【要約】【課題】複数の光源を備える照明装置において、光源に電力を供給する電源に必要な最大電力の低減と電源の負荷変動の低減とを両立させることができる技術を提供する。【解決手段】複数の電源と、光源に流れる電流を断続する複数のスイッチと、スイッチの動作をＰＷＭ信号により制御する制御手段と、を備え、複数の光源は、１以上の光源の集合である光源ブロックによりグループ分けされ、複数のスイッチの各々には、電源の数と同数の光源ブロックが接続され、接続されるスイッチが互いに同一である複数の光源ブロックは互いに異なる電源に接続され、接続されるスイッチが異なる光源ブロック同士で点灯タイミング及び消灯タイミングがともに異なるように、スイッチ毎にＰＷＭ信号が決定される。【選択図】図１
2013045740.tif 000002
【特許請求の範囲】
【請求項１】
複数の光源と、
前記光源へ電力を供給する複数の電源と、
前記光源に流れる電流を断続する複数のスイッチと、
前記スイッチの動作をＰＷＭ信号により制御する制御手段と、
を備え、
前記複数の光源は、１以上の光源の集合である光源ブロックによりグループ分けされ、同一の光源ブロックに属する光源は同一のスイッチ及び同一の電源に接続され、
前記複数のスイッチの各々には、前記電源の数と同数の光源ブロックが接続され、
接続されるスイッチが互いに同一である複数の光源ブロックは互いに異なる電源に接続される、
照明装置であって、
前記制御手段は、接続されるスイッチが異なる光源ブロック同士で点灯タイミング及び消灯タイミングがともに異なるように、スイッチ毎にＰＷＭ信号を決定することを特徴とする照明装置。
【請求項２】
前記制御手段は、接続されるスイッチが異なり且つ同一の電源に接続される少なくとも２つの光源ブロック同士で点灯タイミングから消灯タイミングまでの点灯期間の一部が重なることを許容するように、スイッチ毎にＰＷＭ信号を決定する請求項１に記載の照明装置。
【請求項３】
複数の光源と、
前記光源へ電力を供給するＮ個の第１電源と、
各々ｎ個の第１電源へ電力を供給するＭ個（Ｍ＝Ｎ／ｎ）の第２電源と、
前記光源に流れる電流を断続する複数のスイッチと、
前記スイッチの動作をＰＷＭ信号により制御する制御手段と、
を備え、
前記複数の光源は、１以上の光源の集合である光源ブロックによりグループ分けされ、同一の光源ブロックに属する光源は同一のスイッチ及び同一の第１電源に接続され、
前記複数の光源ブロックは、接続される第１電源が互いに同一である光源ブロックの集合である光源ブロックグループにより前記第１電源の数と同数にグループ分けされ、
同一の光源ブロックグループに属する複数の光源ブロックは互いに異なるスイッチに接続され、
同一の第２電源により電力を供給されるｎ個の第１電源に対応するｎ個の光源ブロックグループに属する光源ブロックは互いに異なるスイッチに接続される、
照明装置であって、
前記制御手段は、接続されるスイッチが異なる光源ブロック同士で点灯タイミング及び消灯タイミングがともに異なるように、スイッチ毎にＰＷＭ信号を決定することを特徴とする照明装置。
【請求項４】
前記制御手段は、接続されるスイッチが異なり且つ同一の第１電源に接続される少なくとも２つの光源ブロック同士で点灯タイミングから消灯タイミングまでの点灯期間の一部が重なることを許容するように、スイッチ毎にＰＷＭ信号を決定する請求項３に記載の照明装置。
【請求項５】
前記制御手段は、各スイッチに接続される光源ブロックの輝度と目標輝度との差異を縮小するように、スイッチ毎にＰＷＭ信号のデューティ比及び電流値の少なくともいずれかを補正するムラ補正手段を含み、
前記制御手段は、前記補正により、接続されるスイッチが異なる光源ブロック同士で点
灯タイミング及び消灯タイミングの少なくともいずれかが一致した場合、当該光源ブロック同士で点灯タイミング及び消灯タイミングがともに異なるように、前記補正されたデューティ比及び電流値を変更せずにＰＷＭ信号がオンとなるタイミング及びオフとなるタイミングを補正する請求項１〜４のいずれか１項に記載の照明装置。
【請求項６】
前記照明装置は、画像表示装置の透過型の表示パネルを照射するバックライトであり、
前記複数のスイッチの各々は、表示パネルの表示領域を分割する複数の分割エリアの各々に対応し、
前記制御手段は、各分割エリアに対応するスイッチに接続される光源ブロックの輝度が各分割エリアに表示される画像に応じた輝度になるようにスイッチ毎にＰＷＭ信号のデューティ比及び電流値の少なくともいずれかを可変制御するローカルディミング制御手段を含み、
前記制御手段は、前記可変制御により、接続されるスイッチが異なる光源ブロック同士で点灯タイミング及び消灯タイミングの少なくともいずれかが一致した場合、当該光源ブロック同士で点灯タイミング及び消灯タイミングがともに異なるように、前記可変制御により決定されたデューティ比及び電流値を変更せずにＰＷＭ信号がオンとなるタイミング及びオフとなるタイミングを補正する請求項１〜５のいずれか１項に記載の照明装置。
【請求項７】
前記照明装置は、画像表示装置の透過型の表示パネルを照射するバックライトであり、
前記複数のスイッチの各々は、表示パネルの表示領域を分割する複数の分割エリアの各々に対応し、
前記制御手段は、入力する画像の１フレームの表示期間内で、バックライトにより照射される分割エリアが順次切り換わるように、スイッチ毎にＰＷＭ信号を決定するスキャンバックライト制御手段を含む請求項１〜６のいずれか１項に記載の照明装置。
【請求項８】
複数の光源と、
前記光源へ電力を供給する複数の電源と、
前記光源に流れる電流を断続する複数のスイッチと、
を備え、
前記複数の光源は、１以上の光源の集合である光源ブロックによりグループ分けされ、同一の光源ブロックに属する光源は同一のスイッチ及び同一の電源に接続され、
前記複数のスイッチの各々には、前記電源の数と同数の光源ブロックが接続され、
接続されるスイッチが互いに同一である複数の光源ブロックは互いに異なる電源に接続される、
照明装置の制御方法であって、
接続されるスイッチが異なる光源ブロック同士で点灯タイミング及び消灯タイミングがともに異なるように、スイッチ毎にＰＷＭ信号を決定する工程と、
前記決定したＰＷＭ信号により前記スイッチの動作を制御する工程と、
を有することを特徴とする照明装置の制御方法。
【請求項９】
複数の光源と、
前記光源へ電力を供給するＮ個の第１電源と、
各々ｎ個の第１電源へ電力を供給するＭ個（Ｍ＝Ｎ／ｎ）の第２電源と、
前記光源に流れる電流を断続する複数のスイッチと、
を備え、
前記複数の光源は、１以上の光源の集合である光源ブロックによりグループ分けされ、同一の光源ブロックに属する光源は同一のスイッチ及び同一の第１電源に接続され、
前記複数の光源ブロックは、接続される第１電源が互いに同一である光源ブロックの集合である光源ブロックグループにより前記第１電源の数と同数にグループ分けされ、
同一の光源ブロックグループに属する複数の光源ブロックは互いに異なるスイッチに接
続され、
同一の第２電源により電力を供給されるｎ個の第１電源に対応するｎ個の光源ブロックグループに属する光源ブロックは互いに異なるスイッチに接続される、
照明装置の制御方法であって、
接続されるスイッチが異なる光源ブロック同士で点灯タイミング及び消灯タイミングがともに異なるように、スイッチ毎にＰＷＭ信号を決定する工程と、
前記決定したＰＷＭ信号により前記スイッチの動作を制御する工程と、
を有することを特徴とする照明装置の制御方法。
【請求項１０】
複数の光源と、
前記光源へ電力を供給する複数の電源と、
前記光源毎に設けられる、光源に流れる電流を断続するスイッチと、
前記スイッチの動作をＰＷＭ信号により制御する制御手段と、
を備え、
前記複数の光源は、１以上の光源の集合である光源ブロックによりグループ分けされ、同一の光源ブロックに属する光源は同一の電源に接続され、
前記各電源は複数の光源ブロックにより共有される、
照明装置であって、
前記制御手段は、同一の光源ブロックに属する光源同士で点灯タイミング及び消灯タイミングが同一となり、同一の電源に接続され且つ互いに異なる光源ブロックに属する光源同士で点灯タイミング及び消灯タイミングがともに異なるように、スイッチ毎にＰＷＭ信号を決定することを特徴とする照明装置。
【請求項１１】
複数の光源と、
前記光源へ電力を供給するＮ個の第１電源と、
各々ｎ個の第１電源へ電力を供給するＭ個（Ｍ＝Ｎ／ｎ）の第２電源と、
前記光源毎に設けられる、光源に流れる電流を断続するスイッチと、
前記スイッチの動作をＰＷＭ信号により制御する制御手段と、
を備え、
前記複数の光源は、１以上の光源の集合である光源ブロックによりグループ分けされ、同一の光源ブロックに属する光源は同一の第１電源に接続され、
前記複数の光源ブロックは、接続される第１電源が互いに同一である光源ブロックの集合である光源ブロックグループにより前記第１電源の数と同数にグループ分けされ、
前記各第１電源は複数の光源ブロックにより共有される、
照明装置であって、
前記制御手段は、同一の光源ブロックに属する光源同士で点灯タイミング及び消灯タイミングが同一となり、同一の第１電源に接続され且つ互いに異なる光源ブロックに属する光源同士で点灯タイミング及び消灯タイミングがともに異なるように、スイッチ毎にＰＷＭ信号を決定することを特徴とする照明装置。
【請求項１２】
複数の光源と、
前記光源へ電力を供給する複数の電源と、
前記光源毎に設けられる、光源に流れる電流を断続するスイッチと、
を備え、
前記複数の光源は、１以上の光源の集合である光源ブロックによりグループ分けされ、同一の光源ブロックに属する光源は同一の電源に接続され、
前記各電源は複数の光源ブロックにより共有される、
照明装置の制御方法であって、
同一の光源ブロックに属する光源同士で点灯タイミング及び消灯タイミングが同一となり、同一の電源に接続され且つ互いに異なる光源ブロックに属する光源同士で点灯タイミ
ング及び消灯タイミングがともに異なるように、スイッチ毎にＰＷＭ信号を決定する工程と、
前記決定したＰＷＭ信号により前記スイッチの動作を制御する工程と、
を有することを特徴とする照明装置の制御方法。
【請求項１３】
複数の光源と、
前記光源へ電力を供給するＮ個の第１電源と、
各々ｎ個の第１電源へ電力を供給するＭ個（Ｍ＝Ｎ／ｎ）の第２電源と、
前記光源毎に設けられる、光源に流れる電流を断続するスイッチと、
を備え、
前記複数の光源は、１以上の光源の集合である光源ブロックによりグループ分けされ、同一の光源ブロックに属する光源は同一の第１電源に接続され、
前記複数の光源ブロックは、接続される第１電源が互いに同一である光源ブロックの集合である光源ブロックグループにより前記第１電源の数と同数にグループ分けされ、
前記各第１電源は複数の光源ブロックにより共有される、
照明装置の制御方法であって、
同一の光源ブロックに属する光源同士で点灯タイミング及び消灯タイミングが同一となり、同一の第１電源に接続され且つ互いに異なる光源ブロックに属する光源同士で点灯タイミング及び消灯タイミングがともに異なるように、スイッチ毎にＰＷＭ信号を決定する工程と、
前記決定したＰＷＭ信号により前記スイッチの動作を制御する工程と、
を有することを特徴とする照明装置の制御方法。
【発明の詳細な説明】
【技術分野】
【０００１】
本発明は、照明装置及びその制御方法に関するものである。
【背景技術】
【０００２】
光源として発光ダイオード（ＬＥＤ：Ｌｉｇｈｔ  Ｅｍｉｔｔｉｎｇ  Ｄｉｏｄｅ）を用いた照明装置がある。このような照明装置は、画像表示装置用のバックライトとしても用いられている。ＬＥＤの輝度を調節するために、ＰＷＭ（Ｐｕｌｓｅ  Ｗｉｄｔｈ  Ｍｏｄｕｌａｔｉｏｎ）制御が用いられる。ＰＷＭ制御では、一定周期のパルス信号でＬＥＤを点滅させる。パルス信号の１周期中の点灯時間幅を変化させることで、ＬＥＤの輝度が調節される。ＬＥＤの発光をＰＷＭ制御により制御する場合、ＬＥＤに電力を供給する電源装置（以下、ＬＥＤ電源）による電力供給もＬＥＤの点滅に同期してＯＮ／ＯＦＦを繰り返すことになる。多数のＬＥＤにより構成される照明装置の輝度をＰＷＭ制御により調節する場合、多数のＬＥＤが一斉に点滅することになるため、ＬＥＤ電源の負荷変動が大きい。
【０００３】
これに対し、照明装置を構成するＬＥＤを複数のグループに分け、ＬＥＤに入力するＰＷＭ信号の位相をグループ毎に３６０度／ＬＥＤグループ数ずつずらすことでＬＥＤ電源の負荷変動を減らす方法が提案されている（例えば特許文献１）。
【０００４】
多数のＬＥＤから構成される照明装置のＬＥＤ電源には、照明装置を構成する全てのＬＥＤを同時に点灯させることができるだけの最大電力が要求される。これに対し、複数のＬＥＤ電源を備えることによりＬＥＤ電源１つあたりに必要な最大電力を低減することが考えられる。
【０００５】
特許文献２には、バックライト装置を構成するＬＥＤを複数のグループに分け、スキャンバックライト駆動において同時に点灯する複数のグループをそれぞれ異なるＬＥＤ電源に接続する構成が開示されている。なお、スキャンバックライト（バックライトスクロール）駆動とは、１フレーム期間内で点灯するグループを順次切り換えていくことによりバックライトを時分割点灯させる技術である。特許文献２では、スキャンバックライト駆動において点灯期間が重ならない複数のグループで１つの電源及びＰＷＭ駆動用のスイッチを共有する構成となっている。
【先行技術文献】
【特許文献】
【０００６】
【特許文献１】特開２００９−２７７５８２号公報
【特許文献２】特開２０１０−１５３３５９号公報
【発明の概要】
【発明が解決しようとする課題】
【０００７】
特許文献１の技術では、ＬＥＤ電源の負荷変動やちらつきを抑制できるものの、デューティ比がある程度大きくなると全てのグループが同時に点灯することになるため、ＬＥＤ電源に必要な最大電力が大きくなってしまう。ＬＥＤ電源１つあたりに必要な最大電力を小さくするために、特許文献２の技術により複数のＬＥＤ電源を備えることが考えられるが、特許文献２の技術では点灯期間が一部でも重なるＬＥＤは同じ電源を共有できないため、グループ数分のＬＥＤ電源が必要となる。そのため、グループ数が多くなると回路規模の増大が課題となる。
【０００８】
そこで、本発明は、複数の光源を備える照明装置において、光源に電力を供給する電源に必要な最大電力の低減と電源の負荷変動の低減とを両立させることができる技術を提供することを目的とする。
【課題を解決するための手段】
【０００９】
本発明は、複数の光源と、前記光源へ電力を供給する複数の電源と、前記光源に流れる電流を断続する複数のスイッチと、前記スイッチの動作をＰＷＭ信号により制御する制御手段と、を備え、前記複数の光源は、１以上の光源の集合である光源ブロックによりグループ分けされ、同一の光源ブロックに属する光源は同一のスイッチ及び同一の電源に接続され、前記複数のスイッチの各々には、前記電源の数と同数の光源ブロックが接続され、接続されるスイッチが互いに同一である複数の光源ブロックは互いに異なる電源に接続される、照明装置であって、前記制御手段は、接続されるスイッチが異なる光源ブロック同士で点灯タイミング及び消灯タイミングがともに異なるように、スイッチ毎にＰＷＭ信号を決定することを特徴とする照明装置である。
【００１０】
本発明は、複数の光源と、前記光源へ電力を供給するＮ個の第１電源と、各々ｎ個の第１電源へ電力を供給するＭ個（Ｍ＝Ｎ／ｎ）の第２電源と、前記光源に流れる電流を断続する複数のスイッチと、前記スイッチの動作をＰＷＭ信号により制御する制御手段と、を備え、前記複数の光源は、１以上の光源の集合である光源ブロックによりグループ分けされ、同一の光源ブロックに属する光源は同一のスイッチ及び同一の第１電源に接続され、前記複数の光源ブロックは、接続される第１電源が互いに同一である光源ブロックの集合である光源ブロックグループにより前記第１電源の数と同数にグループ分けされ、同一の光源ブロックグループに属する複数の光源ブロックは互いに異なるスイッチに接続され、同一の第２電源により電力を供給されるｎ個の第１電源に対応するｎ個の光源ブロックグループに属する光源ブロックは互いに異なるスイッチに接続される、照明装置であって、前記制御手段は、接続されるスイッチが異なる光源ブロック同士で点灯タイミング及び消灯タイミングがともに異なるように、スイッチ毎にＰＷＭ信号を決定することを特徴とする照明装置である。
【００１１】
本発明は、複数の光源と、前記光源へ電力を供給する複数の電源と、前記光源に流れる電流を断続する複数のスイッチと、を備え、前記複数の光源は、１以上の光源の集合である光源ブロックによりグループ分けされ、同一の光源ブロックに属する光源は同一のスイッチ及び同一の電源に接続され、前記複数のスイッチの各々には、前記電源の数と同数の光源ブロックが接続され、接続されるスイッチが互いに同一である複数の光源ブロックは互いに異なる電源に接続される、照明装置の制御方法であって、接続されるスイッチが異なる光源ブロック同士で点灯タイミング及び消灯タイミングがともに異なるように、スイッチ毎にＰＷＭ信号を決定する工程と、
前記決定したＰＷＭ信号により前記スイッチの動作を制御する工程と、を有することを特徴とする照明装置の制御方法である。
【００１２】
本発明は、複数の光源と、前記光源へ電力を供給するＮ個の第１電源と、各々ｎ個の第１電源へ電力を供給するＭ個（Ｍ＝Ｎ／ｎ）の第２電源と、前記光源に流れる電流を断続する複数のスイッチと、を備え、前記複数の光源は、１以上の光源の集合である光源ブロックによりグループ分けされ、同一の光源ブロックに属する光源は同一のスイッチ及び同一の第１電源に接続され、前記複数の光源ブロックは、接続される第１電源が互いに同一である光源ブロックの集合である光源ブロックグループにより前記第１電源の数と同数にグループ分けされ、同一の光源ブロックグループに属する複数の光源ブロックは互いに異なるスイッチに接続され、同一の第２電源により電力を供給されるｎ個の第１電源に対応するｎ個の光源ブロックグループに属する光源ブロックは互いに異なるスイッチに接続される、照明装置の制御方法であって、接続されるスイッチが異なる光源ブロック同士で点
灯タイミング及び消灯タイミングがともに異なるように、スイッチ毎にＰＷＭ信号を決定する工程と、前記決定したＰＷＭ信号により前記スイッチの動作を制御する工程と、を有することを特徴とする照明装置の制御方法である。
【００１３】
本発明は、複数の光源と、
前記光源へ電力を供給する複数の電源と、
前記光源毎に設けられる、光源に流れる電流を断続するスイッチと、
前記スイッチの動作をＰＷＭ信号により制御する制御手段と、
を備え、
前記複数の光源は、１以上の光源の集合である光源ブロックによりグループ分けされ、同一の光源ブロックに属する光源は同一の電源に接続され、
前記各電源は複数の光源ブロックにより共有される、
照明装置であって、
前記制御手段は、同一の光源ブロックに属する光源同士で点灯タイミング及び消灯タイミングが同一となり、同一の電源に接続され且つ互いに異なる光源ブロックに属する光源同士で点灯タイミング及び消灯タイミングがともに異なるように、スイッチ毎にＰＷＭ信号を決定することを特徴とする照明装置である。
【００１４】
本発明は、複数の光源と、
前記光源へ電力を供給するＮ個の第１電源と、
各々ｎ個の第１電源へ電力を供給するＭ個（Ｍ＝Ｎ／ｎ）の第２電源と、
前記光源毎に設けられる、光源に流れる電流を断続するスイッチと、
前記スイッチの動作をＰＷＭ信号により制御する制御手段と、
を備え、
前記複数の光源は、１以上の光源の集合である光源ブロックによりグループ分けされ、同一の光源ブロックに属する光源は同一の第１電源に接続され、
前記複数の光源ブロックは、接続される第１電源が互いに同一である光源ブロックの集合である光源ブロックグループにより前記第１電源の数と同数にグループ分けされ、
前記各第１電源は複数の光源ブロックにより共有される、
照明装置であって、
前記制御手段は、同一の光源ブロックに属する光源同士で点灯タイミング及び消灯タイミングが同一となり、同一の第１電源に接続され且つ互いに異なる光源ブロックに属する光源同士で点灯タイミング及び消灯タイミングがともに異なるように、スイッチ毎にＰＷＭ信号を決定することを特徴とする照明装置である。
【００１５】
本発明は、複数の光源と、
前記光源へ電力を供給する複数の電源と、
前記光源毎に設けられる、光源に流れる電流を断続するスイッチと、
を備え、
前記複数の光源は、１以上の光源の集合である光源ブロックによりグループ分けされ、同一の光源ブロックに属する光源は同一の電源に接続され、
前記各電源は複数の光源ブロックにより共有される、
照明装置の制御方法であって、
同一の光源ブロックに属する光源同士で点灯タイミング及び消灯タイミングが同一となり、同一の電源に接続され且つ互いに異なる光源ブロックに属する光源同士で点灯タイミング及び消灯タイミングがともに異なるように、スイッチ毎にＰＷＭ信号を決定する工程と、
前記決定したＰＷＭ信号により前記スイッチの動作を制御する工程と、
を有することを特徴とする照明装置の制御方法である。
【００１６】
本発明は、複数の光源と、
前記光源へ電力を供給するＮ個の第１電源と、
各々ｎ個の第１電源へ電力を供給するＭ個（Ｍ＝Ｎ／ｎ）の第２電源と、
前記光源毎に設けられる、光源に流れる電流を断続するスイッチと、
を備え、
前記複数の光源は、１以上の光源の集合である光源ブロックによりグループ分けされ、同一の光源ブロックに属する光源は同一の第１電源に接続され、
前記複数の光源ブロックは、接続される第１電源が互いに同一である光源ブロックの集合である光源ブロックグループにより前記第１電源の数と同数にグループ分けされ、
前記各第１電源は複数の光源ブロックにより共有される、
照明装置の制御方法であって、
同一の光源ブロックに属する光源同士で点灯タイミング及び消灯タイミングが同一となり、同一の第１電源に接続され且つ互いに異なる光源ブロックに属する光源同士で点灯タイミング及び消灯タイミングがともに異なるように、スイッチ毎にＰＷＭ信号を決定する工程と、
前記決定したＰＷＭ信号により前記スイッチの動作を制御する工程と、
を有することを特徴とする照明装置の制御方法である。
【発明の効果】
【００１７】
本発明によれば、複数の光源を備える照明装置において、光源に電力を供給する電源に必要な最大電力の低減と電源の負荷変動の低減とを両立させることができる。
【図面の簡単な説明】
【００１８】
【図１】実施例１に係る照明装置の概略構成を示す図
【図２】従来の照明装置の概略構成を示す図
【図３】実施例１及び従来技術の照明装置の点灯制御と電源の供給電力を示す図
【図４】実施例１に係る照明装置の点灯制御と電源の供給電力を示す図
【図５】実施例２に係る照明装置の概略構成を示す図
【図６】実施例２に係る照明装置の点灯制御と電源の供給電力を示す図
【図７】実施例２に係る照明装置の点灯制御と電源の供給電力を示す図
【図８】実施例２に係る照明装置の点灯制御と電源の供給電力を示す図
【発明を実施するための形態】
【００１９】
（実施例１）
本発明の第１の実施例について説明する。本実施例は、光源として複数のＬＥＤを有する照明装置である。この照明装置は、複数のＬＥＤブロックに分割され、各ＬＥＤブロックは複数のＬＥＤからなる。同一のＬＥＤブロックに属する複数のＬＥＤは同一のＰＷＭ信号により点灯制御される。ＰＷＭ信号のデューティ比（周期に対する点灯期間の比）によってＬＥＤの輝度が決まる。ＰＷＭ信号の１周期における信号の立ち上がりタイミングと立ち下がりタイミングによって１周期におけるＬＥＤの点灯パターン（点灯タイミング及び消灯タイミング）が決まる。ＰＷＭ信号の周期及びデューティ比が同じであっても、位相が異なる場合、ＬＥＤの点灯パターンは異なる。この照明装置は、ＬＥＤに電力を供給する電源を複数備え、ＰＷＭ信号の位相（点灯パターン）が異なる複数のＬＥＤブロックに同一の電源から電力を供給し、点灯パターンが同じＬＥＤブロックには異なる電源から電力を供給する。この構成により各電源の負荷変動及び必要な最大電力を低減させる方法について、以下、図面を参照して説明する。
【００２０】
図１（Ａ）は実施例１に係る照明装置の構成を示す図である。
ＬＥＤ１０１は、照明装置の光源であり、電流が流れることにより発光する。照明装置には複数個のＬＥＤ１０１が並べられる。ＬＥＤ１０１は、シリーズ接続（直列接続）さ
れた複数のＬＥＤにより構成されるＬＥＤ群であっても良い。本実施例では、ＬＥＤ１０１は１つのＬＥＤとする。
【００２１】
電流源１０２は、ＬＥＤ１０１に流れる電流を制限する。照明装置には複数個の電流源１０２が並べられる。ＬＥＤ１０１と電流源１０２とはペアで配置される。本実施例では、図１（Ａ）に示すように、並列接続された２組のＬＥＤ１０１及び電流源１０２により、１つのＬＥＤブロック１０７（破線で示す）が構成される。図１（Ａ）では、２組のＬＥＤはそれぞれ１つのＬＥＤ及び電流源で構成されるが、ＬＥＤ及び電流源を直列に複数個接続したものを１組として、それを１つのＬＥＤブロックに２組設けてもよい。図１（Ｂ）に示すように、本実施例の照明装置２０１は、矩形形状であり、縦方向４分割、横方向２分割の計８個のＬＥＤブロック１０７に分割されている。なお、照明装置２０１の形状、ＬＥＤブロックによる分割のしかた、１つのＬＥＤブロックを構成するＬＥＤ及び電流源の数は上記の例に限らない。
【００２２】
駆動切換装置１０３（破線で示す）は、スイッチＡ，Ｂ，Ｃ，及びＤからなる。各スイッチは、ＬＥＤブロック１０７に流れる電流を断続する。各スイッチの動作は、点灯位相制御部１０４から入力されるＰＷＭ信号によって制御される。各スイッチは、ＰＷＭ信号がオンのときに閉じてグランド（接地）の線とＬＥＤブロック１０７とを接続（ショート）し、これにより当該ＬＥＤブロック１０７が点灯する。ＰＷＭ信号がオフのときに開いてグランドの線からＬＥＤブロック１０７を切断し、これにより当該ＬＥＤブロック１０７が消灯する。
【００２３】
点灯位相制御部１０４は、ＰＷＭ信号により駆動切換装置１０３の各スイッチの動作をスイッチ毎に独立に制御することにより、各ＬＥＤブロック１０７の点灯を制御する。点灯位相制御部１０４は、各ＬＥＤブロックに求められる輝度に応じたデューティ比のＰＷＭ信号を駆動切換装置１０３の各スイッチに入力する。点灯位相制御部１０４は、スイッチＡ〜Ｄへ入力するＰＷＭ信号の位相をずらすことにより、スイッチＡ〜Ｄをそれぞれ異なるタイミングで動作させる。これにより、スイッチＡ〜Ｄに接続されたＬＥＤブロック１０７はそれぞれ異なる点灯パターンで点灯する。すなわち、異なるスイッチに接続されたＬＥＤブロック同士は、点灯タイミングが異なり、かつ、消灯タイミングが異なる。詳細は後述する。
【００２４】
電源１０５と電源１０６は、接続されるＬＥＤブロック１０７のＬＥＤ１０１と電流源１０２に電力を供給する。それぞれの電源には、４つのＬＥＤブロック１０７が接続される。電源１０５にはＬＥＤブロック１−Ａ、１−Ｂ，１−Ｃ，及び１−Ｄが接続され、電源１０６にはＬＥＤブロック２−Ａ，２−Ｂ，２−Ｃ，及び２−Ｄが接続される。
【００２５】
ＬＥＤブロック１０７の名称（１−Ａ〜１−Ｄ及び２−Ａ〜２−Ｄ）は、それぞれ、ハイフン（−）の前の数字が接続される電源の番号（第Ｎ電源の場合Ｎ）を表し、ハイフン（−）の後の英字が接続される駆動切換装置１０３のスイッチの符号を表す。例えばスイッチＡをショートさせる（グランド（接地）の線と接続する）と、電源１０５と電源１０６が電力を供給し、それぞれに接続されるＬＥＤブロック１−Ａと２−ＡのＬＥＤ１０１と電流源１０２に電流が流れ、ＬＥＤブロック１−Ａと２−Ａが点灯する。ＬＥＤブロック１−Ａ及び２−Ａは同じスイッチＡに接続されるため、点灯パターンが同一となる。ここで、２つのＬＥＤブロックの点灯パターンが同一とは、２つのＬＥＤブロックの点灯期間の開始タイミング（点灯タイミング）が等しく、且つ点灯期間の終了タイミング（消灯タイミング）が等しいことをいう。従って、デューティ比が同一のＰＷＭ信号によって点灯制御される２つのＬＥＤブロックは、点灯タイミング又は消灯タイミングの少なくともいずれかが異なっていれば、点灯パターンが同一ではない。
【００２６】
なお、上記の構成は一例である。複数の光源が１以上の光源の集合である光源ブロックによりグループ分けされ、同一の光源ブロックに属する光源が同一のスイッチ及び同一の電源に接続されていれば良い。また、複数のスイッチの各々には、電源の数（上記の例では２）と同数の光源ブロックが接続されていれば良い。また、接続されるスイッチが互いに同一である複数の光源ブロックは互いに異なる電源に接続されていれば良い。
【００２７】
次に、電源１０５と電源１０６の負荷変動及び最大電力が低減される仕組みについて図３を用いて詳しく説明する。
まず、照明装置２０１の輝度の制御方法について説明する。照明装置２０１の輝度は、ＬＥＤに流れる単位時間当たりの電流の量、ＬＥＤの発光する時間、発光するＬＥＤの個数に比例する。本実施例では電流は定電流、単位時間をＰＷＭ信号の１周期、発光する時間はＰＷＭ信号のパルス幅、発光する個数は一定（ＬＥＤブロック当たり２個、照明装置全体で１６個）として説明する。従って、本実施例では、照明装置２０１の輝度は、ＰＷＭ信号のデューティ比によって決まる。デューティ比が１００％の場合に照明装置２０１の輝度は最大となる。
【００２８】
ここでは、ＰＷＭ信号の周波数が１２００Ｈｚ、デューティ比が６２．５％の場合を例に説明する。この場合、照明装置２０１の輝度は、最大輝度の６２．５％の輝度となる。この周波数は、人間の目が点滅を感知できる周波数より十分高く、大部分の人にとってフリッカが問題とならない。ＰＷＭ信号の周波数及びデューティ比は説明のための一例であって、これらの数値に限らない。
【００２９】
なお、各スイッチを駆動するＰＷＭ信号の位相が揃っていなくてもデューティ比が一致していれば、照明装置２０１の輝度はそのデューティ比に応じた輝度になる。すなわち、ＰＷＭ信号の１周期における点灯タイミングや消灯タイミングがＬＥＤブロック間で一致していなくても、ＰＷＭ信号の１周期に対する点灯期間の比がどのＬＥＤブロックでも６２．５％であれば、照明装置２０１の輝度は６２．５％となる。つまり、照明装置２０１の輝度は、各スイッチを駆動するＰＷＭ信号のデューティ比によって決まり、ＰＷＭ信号の位相にはよらない。
【００３０】
図２は、従来の照明装置の構成を示す図である。本実施例の照明装置２０１の構成（図１（Ａ））との違いは、各電源は、同じスイッチに接続される２つのＬＥＤブロックに電力を供給するように構成されている点である。具体的には、電源３０５は、駆動切換装置１０３のスイッチＡに接続されたＬＥＤブロック１−Ａ及び２−Ａ、並びに、スイッチＢに接続されたＬＥＤブロック１−Ｂ及び２−Ｂに接続される。また、電源３０６は、駆動切換装置１０３のスイッチＣに接続されたＬＥＤブロック１−Ｃ及び２−Ｃ、並びに、スイッチＤに接続されたＬＥＤブロック１−Ｄ及び２−Ｄに接続される。すなわち、図２の従来の照明装置では、各電源は、点灯パターンが同一の複数のＬＥＤブロックに電力を供給する構成となっている。これに対し、図１の本実施例の照明装置では、上述したように、各電源に接続される４つのＬＥＤブロックは、全て異なるスイッチに接続されるため、各電源は、点灯パターンが互いに異なる複数のＬＥＤブロックに電力を供給する構成となっている。
【００３１】
図３（Ａ）は、照明装置において輝度６２．５％を実現するための各ＬＥＤブロックの点灯制御の一例を表す図である。図３（Ａ）において、横軸は時間を表す。図３（Ａ）では、ＰＷＭ信号の１周期を８分割し、１／８周期の長さの各期間をＴ１〜Ｔ８で表している。図３（Ａ）は、同一スイッチに接続されたＬＥＤブロック毎に、ＰＷＭ信号がオンとなる期間（点灯期間）を示している。例えば、「Ａ点灯」となっている期間は、スイッチＡに接続された（ハイフン（−）の後にＡが続く）ＬＥＤブロック１−Ａと２−Ａの点灯期間を表す。他の「Ｂ点灯」「Ｃ点灯」「Ｄ点灯」となっている期間は、それぞれスイッ
チＢ、Ｃ，Ｄに接続されたＬＥＤブロックの点灯期間を表す。
【００３２】
Ａ点灯、Ｂ点灯、Ｃ点灯、及びＤ点灯の点灯期間は、全て５／８周期で等しいが、各点灯期間の開始タイミングは互いに１／４周期ずつずれており、各点灯期間の終了タイミングも互いに１／４周期ずつずれている。すなわち、各スイッチに入力されるＰＷＭ信号は、互いにデューティ比が等しく、かつ互いに位相がずれている。このように、図３（Ａ）に示す点灯制御では、ハイフン（−）の後の英字が異なるＬＥＤブロックが１／４周期ずつずれたタイミングで点滅する。
【００３３】
このようなＬＥＤブロックの点灯制御は、点灯位相制御部１０４が、１／４周期ずつ位相をずらしたＰＷＭ信号を駆動切換装置１０３のスイッチＡ〜Ｄへ入力し、入力されるＰＷＭ信号に従ってスイッチＡ〜Ｄが開閉することにより実現される。なお、図３（Ａ）の例では、異なるスイッチの間のＰＷＭ信号の位相のずれを、いずれのスイッチ間でも等しく１／４周期としたが、スイッチ間の位相のずれは等しくなくても良い。
【００３４】
図３（Ａ）に示す点灯制御によれば、期間Ｔ１では、ＬＥＤブロック１−Ａ、１−Ｃ、１−Ｄ、２−Ａ、２−Ｃ、及び２−Ｄが点灯し、期間Ｔ２では、ＬＥＤブロック１−Ａ、１−Ｄ、２−Ａ、及び２−Ｄが点灯することがわかる。他の期間についても同様である。
【００３５】
図３（Ｂ）は、図３（Ａ）に示すＬＥＤブロックの点灯制御を行う場合の、従来技術の照明装置（図２）の電源３０５と電源３０６の供給電力を表す図である。横軸は図３（Ａ）と同じく時間を表し、期間Ｔ１〜Ｔ８は図３（Ａ）の期間Ｔ１〜Ｔ８と対応している。
【００３６】
電源３０５を例に説明する。ここでは、１つのＬＥＤブロックを点灯させるために必要な電力は２５Ｗとする。電源３０５は、ＬＥＤブロック１−Ａ、１−Ｂ、２−Ａ、及び２−Ｂに電力を供給可能に構成されている。Ａ点灯とＢ点灯とが重なる期間では、４つのＬＥＤブロック１−Ａ、１−Ｂ、２−Ａ、及び２−Ｂが点灯するため、電源３０５の供給電力は１００Ｗとなる。Ａ点灯又はＢ点灯のいずれか一方のみの期間では、２つのＬＥＤブロック１−Ａ及び２−Ａ、又は、２つのＬＥＤブロック１−Ｂ及び２−Ｂが点灯するため、電源３０５の供給電力は５０Ｗとなる。Ａ点灯とＢ点灯のいずれでもない期間では、電源３０５の供給電力は０Ｗとなる。電源３０５の供給電力には、ＬＥＤブロック１−Ｃ，１−Ｄ，２−Ｃ，及び２−Ｄの点灯は影響しないので、電源３０５の供給電力の変動は駆動切換装置１０３のスイッチＣとスイッチＤの開閉タイミングには依存しない。
【００３７】
電源３０５の供給電力は、Ａ点灯のみの期間Ｔ１及びＴ２、並びに、Ｂ点灯のみの期間Ｔ６及びＴ７では５０Ｗ、Ａ点灯及びＢ点灯となる期間Ｔ３、Ｔ４、及びＴ５では１００Ｗ、Ａ点灯とＢ点灯のいずれでもない期間Ｔ８では０Ｗとなる。従って、期間Ｔ１の開始タイミング及び期間Ｔ３の開始タイミングにおいて電源３０５の供給電力量が＋５０Ｗだけ変動する分の負荷変動が生じる。また、期間Ｔ６の開始タイミング及び期間Ｔ８の開始タイミングにおいて電源３０５の供給電力量が−５０Ｗだけ変動する分の負荷変動が生じる。よって、電源３０５の供給電力量が変動する際の最大負荷変動幅は５０Ｗであり、これは全てのＬＥＤブロックが点灯する場合の電源３０５の供給電力（１００Ｗ）の５０％となる。電源３０６は、駆動切換装置１０３のスイッチＣとスイッチＤの開閉タイミングに合わせて供給電力が変動する。電源３０６の最大負荷変動幅は、電源３０５と同様５０Ｗであり、これは全てのＬＥＤブロックが点灯する場合の電源３０６の供給電力（１００Ｗ）の５０％である。このように、図２に示す従来技術の照明装置では、図３（Ａ）のようなＬＥＤブロックの点灯制御を行う場合、電源３０５及び電源３０６には、最大電力（全てのＬＥＤブロックを点灯させる場合の電力）の５０％の負荷変動に対応できる性能が要求される。
【００３８】
図３（Ｃ）は、図３（Ａ）に示すＬＥＤブロックの点灯制御を行う場合の、本実施例の照明装置（図１）の電源１０５と電源１０６の供給電力を表す図である。横軸は図３（Ａ）と同じく時間を表し、期間Ｔ１〜Ｔ８は図３（Ａ）の期間Ｔ１〜Ｔ８と対応している。
【００３９】
電源１０５を例に説明する。電源１０５は、ＬＥＤブロック１−Ａ、１−Ｂ，１−Ｃ、及び１−Ｄに電力を供給可能に構成されている。従って、Ａ点灯、Ｂ点灯、Ｃ点灯、及びＤ点灯の４つが重なる期間では、４つのＬＥＤブロック１−Ａ、１−Ｂ，１−Ｃ、及び１−Ｄが点灯するため、電源１０５の供給電力は１００Ｗとなる。Ａ点灯、Ｂ点灯、Ｃ点灯、及びＤ点灯のうち３つが重なる期間では、ＬＥＤブロック１−Ａ、１−Ｂ，１−Ｃ、及び１−Ｄのうち３つのＬＥＤブロックが点灯するため、電源１０５の供給電力は７５Ｗとなる。Ａ点灯、Ｂ点灯、Ｃ点灯、及びＤ点灯のうち２つが重なる期間では、ＬＥＤブロック１−Ａ、１−Ｂ，１−Ｃ、及び１−Ｄのうち２つのＬＥＤブロックが点灯するため、電源１０５の供給電力は５０Ｗとなる。Ａ点灯、Ｂ点灯、Ｃ点灯、及びＤ点灯のいずれか１つのみの期間では、ＬＥＤブロック１−Ａ、１−Ｂ，１−Ｃ、及び１−Ｄのいずれか１つのＬＥＤブロックが点灯するため、電源１０５の供給電力は２５Ｗとなる。Ａ点灯、Ｂ点灯、Ｃ点灯、及びＤ点灯のいずれでもない期間は、電源１０５の供給電力は０Ｗとなる。
【００４０】
電源１０５の供給電力は、Ａ点灯、Ｂ点灯、Ｃ点灯、及びＤ点灯のうち３つが重なる期間Ｔ１、Ｔ３、Ｔ５、及びＴ７では７５Ｗ、Ａ点灯、Ｂ点灯、Ｃ点灯、及びＤ点灯のうち２つが重なる期間Ｔ２、Ｔ４、Ｔ６、及びＴ８では５０Ｗとなる。従って、期間Ｔ１，Ｔ３，Ｔ５，及びＴ７の開始タイミングにおいて＋２５Ｗの負荷変動が生じ、期間Ｔ２，Ｔ４，Ｔ６，及びＴ８の開始タイミングにおいて−２５Ｗの負荷変動が生じる。よって、電源１０５の最大負荷変動幅は２５Ｗであり、これは、全てのＬＥＤブロックが点灯する場合の電源１０５の供給電力１００Ｗの２５％となる。電源１０６についても同様に、最大負荷変動幅は最大電力１００Ｗの２５％である２５Ｗとなる。従って、図１に示す本実施例の照明装置２０１では、図３（Ａ）のようなＬＥＤブロックの点灯制御を行う場合、電源１０５及び電源１０６は、最大電力（全点灯時に必要な電力）の２５％の負荷変動に対応できる性能を有していれば十分である。よって、従来技術よりもコストや歩留まりの点で有利である。
【００４１】
このように、本実施例では、照明装置を構成する全てのＬＥＤブロックを点灯させる場合に必要な電力を均等に負担する複数の電源を備えているので、１つの電源に必要な最大電力を従来技術の構成と比較して低減することができる。また、１つの電源はスイッチＡ〜Ｄにより独立に点灯パターンを制御可能な４個のＬＥＤブロックに電力供給を行うよう構成されるので、スイッチＡ〜ＤのＰＷＭ信号の位相を互いにずらすことで、１つの電源の負荷変動幅を従来より小さくできる。
【００４２】
このように、本実施例の照明装置によれば、点灯位相制御部１０４は、接続されるスイッチが異なる光源ブロック同士で点灯タイミング及び消灯タイミングがともに異なるように、スイッチ毎にＰＷＭ信号を決定する。また、本実施例の照明装置では、電源を共有する複数の光源ブロックの各々についてスイッチが接続されているので、接続されるスイッチが異なる少なくとも２つの光源ブロック同士で点灯期間の一部が重なることが許容される。よって、１つの電源に必要な最大電力の低減と負荷変動の低減とを両立することができる。
【００４３】
本実施例では、駆動切換装置１０３のスイッチの数が４個の場合を例に説明したが、スイッチの数はこれに限らない。開閉タイミングを独立に制御可能なスイッチの数を多くするとともに、各スイッチの開閉タイミングが重ならないように各スイッチに入力するＰＷＭ信号の位相をずらすことで、１つの電源の負荷変動幅をより低減することができる。
【００４４】
本実施例では、電源の数が２個の場合を例に説明したが、電源の数は複数であればこれに限らない。全点灯時に必要な電力を均等に供給するように２個より多くの電源を設け、１つの電源に必要な最大電力をより低減することができる。この場合も、各電源には、点灯パターンの異なる複数のＬＥＤブロックを接続することにより、負荷変動幅の低減が可能となる。また、全点灯時に必要な電力を複数の電源で分担する構成であれば、各電源に必要な最大電力は均等でなくても良い。
【００４５】
本実施例では、照明装置の輝度が最大輝度の６２．５％の場合を例に説明したが、照明装置の輝度はこれに限らない。
【００４６】
本実施例では、照明装置単体に本発明を適用した例を説明したが、本発明は、液晶パネル等の透過型の表示パネルを用いた画像表示装置において表示パネルを背面から照明するためのバックライトに適用することもできる。
【００４７】
本実施例では、ＰＷＭ信号により１２００Ｈｚで点滅する複数のＬＥＤブロックからなる照明装置に本発明を適用した例を説明したが、本発明が適用できる照明装置はこれに限らない。例えば本発明は、表示パネルの表示領域を分割する複数の分割エリアのうちバックライトにより照射される分割エリアが、入力映像の１フレームの表示期間内で順次切り換えられるスキャンバックライト制御（線順次黒挿入制御）を行うバックライトに適用できる。この場合、各分割エリアに対応するＬＥＤブロックは、画像のフレームレート（例えば６０Ｈｚ）に対応する周波数で、分割エリア毎に異なる位相で点滅する。全点灯時に必要な電力を均等に供給するよう複数の電源を設け、各電源は点灯パターンの異なる複数のＬＥＤブロックに電力供給を行うように構成することにより、電源毎の必要な最大電力の低減と負荷変動幅の低減とを両立できる。
【００４８】
図３（Ａ）では、点灯パターンの異なるＬＥＤブロック同士で点灯期間の一部が重なっているが、点灯パターンの異なるＬＥＤブロック同士で点灯期間が重ならないような点灯制御を行っても良い。例えば、スキャンバックライト制御においては、残像低減効果の観点から、あるラインのＬＥＤブロックが消灯するタイミングで次のラインのＬＥＤブロックが点灯するような点灯制御が行われる場合があるが、そのような点灯制御にも本発明は適用できる。この場合、点灯パターンの異なる２つのＬＥＤブロック間で、消灯タイミングと点灯タイミングが一致することになる。しかし、１つの電源から供給されるＬＥＤブロックの点灯タイミング及び消灯タイミングが全て同じでない、という条件を満たせば、負荷変動幅の低減が可能となる。
【００４９】
本実施例では、各ＬＥＤブロックの点灯期間が等しい（各スイッチを駆動するＰＷＭ信号のデューティ比が等しい）場合を例に説明したが、各ＬＥＤブロックの点灯期間は等しくなくても良い。
【００５０】
例えば、本発明は、ローカルディミング制御を行う画像表示装置の透過型の表示パネルを照射するバックライトに適用できる。この場合、複数のスイッチの各々が、表示パネルの表示領域を分割する複数の分割エリアの各々に対応する。点灯位相制御部１０４は、各分割エリアに対応するスイッチに接続されるＬＥＤブロックの輝度が、各分割エリアに表示される画像に応じた輝度になるように、スイッチ毎にＰＷＭ信号のデューティ比及び電流値の少なくともいずれかを可変制御する。
【００５１】
この場合、点灯位相制御部１０４は、可変制御により、接続されるスイッチが異なるＬＥＤブロック同士で点灯タイミング及び消灯タイミングの少なくともいずれかが一致した場合、それらが共に異なるように、ＰＷＭ信号のオン／オフのタイミングを補正する。このとき、点灯位相制御部１０４は、前記可変制御により決定されたデューティ比及び電流
値を変更しない。よって、ＬＥＤブロックの輝度は変化せず、異なるスイッチに接続されるＬＥＤブロック同士で、点灯タイミング及び消灯タイミングがともにずれるようになる。
【００５２】
また、ＬＥＤの発光特性には個体差や劣化度合によってばらつきがあるため、２つのＬＥＤを同じデューティ比で点灯させても実際の輝度は等しくならないことがある。本発明は、このような輝度のムラ補正を行う画像表示装置の透過型の表示パネルを照射するバックライトに適用できる。この場合、点灯位相制御部１０４は、各スイッチに接続されるＬＥＤブロックの輝度と所定の目標輝度との差異を縮小するように、スイッチ毎にＰＷＭ信号のデューティ比及び電流値の少なくともいずれかを補正する。
【００５３】
この場合、点灯位相制御部１０４は、補正により、接続されるスイッチが異なるＬＥＤブロック同士で点灯タイミング及び消灯タイミングの少なくともいずれかが一致した場合、それらが共に異なるように、ＰＷＭ信号のオン／オフのタイミングを補正する。このとき、点灯位相制御部１０４は、前記補正されたデューティ比及び電流値を変更しない。よって、ＬＥＤブロックの輝度は変化せず、異なるスイッチに接続されるＬＥＤブロック同士で、点灯タイミング及び消灯タイミングがともにずれるようになる。
【００５４】
このように、複数のＬＥＤブロックのうちに点灯期間が等しくないＬＥＤブロックがある照明装置に本発明を適用した実施例を図４に基づいて説明する。
【００５５】
図４（Ａ）は、図１の照明装置における各ＬＥＤブロックの点灯制御を表す図である。図４（Ａ）は、図３（Ａ）と同様に、各ＬＥＤブロックの点灯タイミング（各スイッチのＰＷＭ信号の立ち上がりタイミング）を１／４周期ずつずらした場合の各ＬＥＤブロックの点灯期間を示している。ここでは、一例として、ＬＥＤブロック１−Ａ，２−Ａ，１−Ｄ，２−Ｄが経年変化により輝度が低下しているものとする。そして、輝度が低下しているＬＥＤブロック１−Ａ，２−Ａ，１−Ｄ，２−Ｄのデューティ比を他のＬＥＤブロック１−Ｂ，２−Ｂ，１−Ｃ，２−Ｃのデューティ比よりも高くすることにより照明装置の輝度ムラを補正する処理が行われるものとする。このとき、図４（Ａ）に示すようにＡ点灯の終了タイミングｔＡ２とＢ点灯の終了タイミングｔＢ２とが期間Ｔ４内で重なったとする。
【００５６】
図４（Ｂ）は、図４（Ａ）に示すＬＥＤブロックの点灯制御を行う場合の、図１（Ａ）の電源１０５と電源１０６の電力供給を表す図である。電源１０５について説明する。Ｂ点灯の開始タイミングｔＢからＡ点灯及びＢ点灯の終了タイミングｔＡ２（＝ｔＢ２）までの期間はＡ点灯とＢ点灯が重なるので電源１０５の供給電力は５０Ｗとなる。Ａ点灯及びＢ点灯の終了タイミングｔＡ２（＝ｔＢ２）からＣ点灯の開始タイミングｔＣまでの期間は点灯するＬＥＤブロックはないので電源１０５の供給電力は０Ｗとなる。従って、Ａ点灯及びＢ点灯の終了タイミングｔＡ２（＝ｔＢ２）において−５０Ｗの負荷変動が生じる。他のタイミングにおける電源１０５の負荷変動は、図４（Ｂ）に示すように±２５Ｗである。よって、電源１０５の最大負荷変動幅は５０Ｗであり、これは全点灯時の電源１０５の供給電力の５０％である。
【００５７】
この最大負荷変動幅を低減するために、点灯位相制御部１０４は、スイッチＢへ入力するＰＷＭ信号の位相をずらすことにより、Ａ点灯の終了タイミングｔＡ２とＢ点灯の終了タイミングｔＢ２が重ならないようにする。図４（Ｃ）は、スイッチＢのＰＷＭ信号の位相をΔｔＢ遅らせることにより、Ａ点灯の終了タイミングｔＡ２とＢ点灯の終了タイミングｔＢ２が重ならないようにした場合のＬＥＤブロックの点灯制御を表す。図４（Ｄ）は、図４（Ｃ）に示すＬＥＤブロックの点灯制御を行う場合の、図１の電源１０５及び電源１０６の供給電力を表す図である。
【００５８】
図４（Ｄ）に示すように、Ｂ点灯の開始タイミングｔＢからＡ点灯の終了タイミングｔＡ２までの期間はＡ点灯とＢ点灯が重なるので電源１０５の供給電力は５０Ｗとなる。Ａ点灯の終了タイミングｔＡ２からＣ点灯の終了タイミングｔＣ２までの期間はＢ点灯又はＣ点灯のいずれか一方なので電源１０５の供給電力は２５Ｗとなる。従って、Ａ点灯の終了タイミングｔＡ２における負荷変動は−２５Ｗ、Ｃ点灯の終了タイミングｔＣ２における負荷変動は−２５Ｗである。他のタイミングにおける電源１０５の負荷変動も、図４（Ｄ）に示すように±２５Ｗである。よって、電源１０５の最大負荷変動幅は２５Ｗであり、これは全点灯時の電源１０５の供給電力の２５％である。よって、図４（Ａ）のような点灯制御を行う場合よりも各電源の負荷変動幅を低減できる。
【００５９】
このように、ＬＥＤブロック毎に点灯期間を独立に調整可能な照明装置の場合、異なるＬＥＤブロック間で点灯期間の開始タイミングや終了タイミングに重なりが生じないように各ＬＥＤブロックの点灯期間を調整することにより、負荷変動幅を低減できる。
【００６０】
なお、図４（Ｃ）では、Ｂ点灯の終了タイミングｔＢ２とＣ点灯の開始タイミングｔＣとが一致するようにＢ点灯を遅らせる時間幅ΔｔＢを設定する例を示したが、Ｂ点灯の調整はこれに限らない。また、Ｂ点灯の代わりに、又は合わせて、Ａ点灯やＣ点灯を調整しても良い。例えば、Ａ点灯の終了タイミングｔＡ２がＣ点灯の開始タイミングｔＣと一致するようにＡ点灯を遅らせても良いし、Ｃ点灯の開始タイミングｔＣがＡ点灯及びＢ点灯の終了タイミングｔＡ２（＝ｔＢ２）と一致するようにＣ点灯を早めても良い。Ｂ点灯を遅らせる場合は、Ｂ点灯の終了タイミングｔＢ２がＡ点灯の終了タイミングｔＡ２からＣ点灯の開始タイミングｔＣまでの間になるように調整しても良い。
【００６１】
いずれの場合でも、点灯パターンの異なるＬＥＤブロック同士で点灯期間の開始タイミングが一致せず、かつ、点灯期間の終了タイミングが一致しないように、各ＬＥＤブロックの点灯パターンを調整することにより、電源の負荷変動幅を小さくすることができる。また、例えば、異なるＮ個のＬＥＤブロック同士で点灯期間の終了タイミングが一致する場合は、当該タイミングと、別のＮ±ｎ個のＬＥＤブロックの点灯期間の開始タイミングと、を一致させるように、各ＬＥＤブロックの点灯パターンを調整しても良い。この場合、ｎを小さい値にするほど、電源の負荷変動幅を小さくすることができる。
【００６２】
以上のように、複数のＬＥＤブロックの全点灯時に必要な電力を均等に供給する複数の電源を設け、各電源が点灯パターンの異なる複数のＬＥＤブロックに電力を供給するように構成することで、各電源の負荷変動及び必要な最大電力の低減を両立できる。さらに、この構成では、点灯パターンが同一の複数のＬＥＤブロックは１つのスイッチを共有するので、駆動切替装置の回路規模を小さくできる。
【００６３】
なお、上記の実施例では、同一のＬＥＤブロックに属する複数のＬＥＤが同一のスイッチに接続され、各スイッチには電源の数と同数の光源ブロックが接続されていた。しかし、図１（Ｃ）に示すように、スイッチはＬＥＤ毎に設けられていても良い。この場合、同一のＬＥＤブロックに属するＬＥＤ同士で点灯パターンが同一となり、同一の電源に接続され且つ互いに異なるＬＥＤブロックに属するＬＥＤ同士で点灯タイミング及び消灯タイミングがともに異なるようにスイッチ毎にＰＷＭ信号が決定される。すなわち、点灯パターンが互いに同一のＬＥＤに接続されるスイッチ同士は、同一のＰＷＭ信号により駆動される。例えば、図１（Ｃ）の構成では、スイッチＡ１〜Ａ４は同一のＰＷＭ信号により駆動され、スイッチＢ１〜Ｂ４は同一のＰＷＭ信号により駆動され、スイッチＣ１〜Ｃ４は同一のＰＷＭ信号により駆動され、スイッチＤ１〜Ｄ４は同一のＰＷＭ信号により駆動される。図１（Ｃ）の構成においても、各電源は複数のＬＥＤブロックにより共有されるが、同一の電源に接続され且つ互いに異なるＬＥＤブロックに属するＬＥＤ同士では点灯タ
イミング及び消灯タイミングが重ならない。よって、電源の負荷変動が大きくなることを抑制できる。図１（Ｃ）の構成では、例えば図３（Ａ）の点灯パターンでＬＥＤブロックを点灯させる場合、時刻ｔＡではスイッチＡ１〜Ａ４が一斉に導通状態となる。この構成では、光源毎にスイッチが設けられ、同一の光源ブロックに属する光源同士で点灯パターンが同一となり、同一の電源に接続され且つ互いに異なる光源ブロックに属する光源同士で点灯タイミング及び消灯タイミングがともに異なる。よって、上記の実施例と同様、同一の点灯パターンで点灯するＬＥＤブロックが異なる電源により電力供給されるので、電源の供給電力の変動が大きくなることを抑制できるとともに、各スイッチに流れる電流量が減るため各スイッチの負荷を低減できる。
【００６４】
（実施例２）
実施例２は、実施例１の電源１０５及び電源１０６を第１電源とし、これらの第１電源に電力供給する第２電源としてメイン電源を追加した照明装置に本発明を適用した例である。本実施例により、追加したメイン電源の負荷変動を小さくできることを説明する。以下、図５〜図７を参照して、実施例１との相違点を中心に、本実施例の照明装置の構成及びＬＥＤブロックの点灯制御について説明する。
【００６５】
図５は本実施例の照明装置９０１の概略構成を示す図である。図５（Ａ）においてＬＥＤ１０１、電流源１０２、点灯位相制御部１０４、電源１０５，及び電源１０６は実施例１と同じである。
メイン電源８０１は、商用の交流電源を電源１０５と電源１０６が受けられる電源に変換し、電源１０５と電源１０６に電力を供給する。
【００６６】
図５（Ｂ）に示すように、照明装置９０１は縦方向４分割、横方向２分割の計８個のＬＥＤブロック１−Ａ，１−Ｂ，１−Ｃ，１−Ｄ，２−ａ，２−ｂ，２−ｃ，及び２−ｄに分割される。各ＬＥＤブロックは、実施例１と同様、並列接続された２組のＬＥＤ１０１及び電流源１０２から構成される。
【００６７】
駆動切換装置８０２は、８個のＬＥＤブロックの各々に接続する８個のスイッチＡ，Ｂ，Ｃ，Ｄ，ａ，ｂ，ｃ，及びｄからなる。各スイッチは、点灯位相制御部１０４から入力されるＰＷＭ信号により、互いに独立に開閉制御される。
【００６８】
ＬＥＤブロックの名称は、実施例１と同様、ハイフン（−）の前の数字が接続される電源の番号（第Ｎ電源の場合Ｎ）を表し、ハイフン（−）の後の英字が接続される駆動切換装置８０２のスイッチの符号を表す。例えばスイッチＡをショートさせると、それに接続されるＬＥＤブロック１−ＡのＬＥＤ１０１と電流源１０２に電流が流れ、ＬＥＤブロック１−Ａが点灯する。
【００６９】
図６（Ａ）及び（Ｂ）は、本実施例の照明装置における各ＬＥＤブロックの点灯制御及び各電源の供給電力の一例を示す図である。図６（Ａ）において、横軸は実施例１の図３と同様に時間を表し、期間Ｔ１〜Ｔ８はＰＷＭ信号の１周期を８分割した期間を表す。図６（Ａ）は、ＬＥＤブロック１−Ａ，１−Ｂ，１−Ｃ，１−Ｄ，２−ａ，２−ｂ，２−ｃ，及び２−ｄそれぞれのＰＷＭ信号１周期における点灯期間を示す。例えば、「ａ点灯」となっている期間は、駆動切換装置８０２のスイッチａが閉じられ、ハイフン（−）の後に「ａ」が続くＬＥＤブロック２−ａが点灯する期間を表す。他のｂ点灯、ｃ点灯、ｄ点灯、Ａ点灯、Ｂ点灯、Ｃ点灯、Ｄ点灯となっている期間も同様に、それぞれスイッチｂ、ｃ、ｄ、Ａ，Ｂ，Ｃ，Ｄに接続されたＬＥＤブロックの点灯期間を表す。図６（Ａ）では、電源１０５により電力供給されるＬＥＤブロックの点灯期間には斜線を施している。
【００７０】
図６（Ａ）に示す点灯制御は、実施例１の図４で説明したのと同様の輝度ムラの補正を
行うために、ＬＥＤブロック１−Ａ，２−ａ，１−Ｄ，２−ｄの点灯期間を３／４周期とし、他のＬＥＤブロックの点灯期間よりも長くする場合の点灯制御の例である。この例では、同じ電源により電力供給される複数のＬＥＤブロックの点灯パターンが同じにならないように、同じ電源に接続される複数のＬＥＤブロックの点灯期間が１／４周期ずつずれている。すなわち、電源１０５が電力供給するＬＥＤブロック（１−Ａ，１−Ｂ，１−Ｃ，１−Ｄ）の点灯パターンが同じにならないように、スイッチＡ〜Ｄへ入力されるＰＷＭ信号の位相が１／４周期ずつずれている。
【００７１】
また、電源１０６が電力供給するＬＥＤブロック（２−ａ，２−ｂ，２−ｃ，２−ｄ）の点灯パターンが同じにならないように、スイッチａ〜ｄへ入力されるＰＷＭ信号の位相が１／４周期ずつずれている。また、図６（Ａ）の点灯制御では、図５（Ｂ）において同じ行に並ぶ２つのＬＥＤブロック（例えば１−Ａと２−ａ）の点灯パターンが同じになっている。図６（Ａ）に示す点灯制御が行われる場合、例えば期間Ｔ１では、ＬＥＤブロック１−Ａ、２−ａ、１−Ｄ、及び２−ｄが点灯し、期間Ｔ２では、ＬＥＤブロック１−Ａ，２−ａ，１−Ｂ，２−ｂ，１−Ｄ，及び２−ｄが点灯することがわかる。他の期間についても同様である。
【００７２】
図６（Ｂ）は、図６（Ａ）に示すＬＥＤブロックの点灯制御を行う場合の、電源１０５、電源１０６、及びメイン電源８０１の供給電力を表す図である。横軸は図６（Ａ）と同じく時間を表し、期間Ｔ１〜Ｔ８は図６（Ａ）の期間Ｔ１〜Ｔ８と対応している。
【００７３】
電源１０５を例に説明する。実施例１と同様、１つのＬＥＤブロックを点灯させるために必要な電力は２５Ｗとする。電源１０５は４個のＬＥＤブロック１−Ａ〜１−Ｄに電力を供給可能に構成されている。電源１０５により電力供給可能な４個のＬＥＤブロックのうち２個のＬＥＤブロックが点灯する期間Ｔ１、Ｔ２、Ｔ７、Ｔ８における電源１０５の供給電力は５０Ｗとなる。電源１０５により電力供給可能な４個のＬＥＤブロックのうち３個のＬＥＤブロックが点灯する期間Ｔ３、Ｔ４、Ｔ５、Ｔ６における電源１０５の供給電力は７５Ｗとなる。従って、期間Ｔ３の開始タイミングにおいて＋２５Ｗの負荷変動が生じ、期間Ｔ７の開始タイミングにおいて−２５Ｗの負荷変動が生じる。ＬＥＤブロック２−ａ〜２−ｄに電力供給可能に構成された電源１０６の負荷変動のタイミング及び大きさは電源１０５と同じである。
【００７４】
よって、電源１０５と電源１０６に電力を供給するメイン電源８０１の供給電力は、期間Ｔ１，Ｔ２，Ｔ７，Ｔ８において１００Ｗとなり、期間Ｔ３，Ｔ４，Ｔ５，Ｔ６において１５０Ｗとなる。また、メイン電源８０１の供給電力には、期間Ｔ３の開始タイミングにおいて＋５０Ｗの負荷変動が生じ、期間Ｔ７の開始タイミングにおいて−５０Ｗの負荷変動が生じる。従って、メイン電源８０１の最大負荷変動幅は５０Ｗとなる。
【００７５】
このように、図５の構成の照明装置９０１において図６（Ａ）に示すようなＬＥＤブロックの点灯制御を行うと、電源１０５及び電源１０６の各々の負荷変動については、実施例１で説明した通り従来技術よりも小さく抑えられる。しかしながら、電源１０５の負荷変動のタイミングと電源１０６の負荷変動のタイミングが同じため、２つの電源に電力供給するメイン電源８０１の負荷変動幅が大きくなってしまう。これは、１つの電源に接続されるＬＥＤブロック同士では点灯パターンが互いに異なるが、異なる電源に接続されるＬＥＤブロック同士では、点灯パターンが同一になることが許容されているからである。
【００７６】
そこで、本実施例では、複数の電源に電力を供給するメイン電源の負荷変動幅を低減するために、電源１０５の負荷変動のタイミングと電源１０６の負荷変動のタイミングとが等しくならないように、各ＬＥＤブロックの点灯パターンを調整する。具体的には、点灯位相制御部１０４が、電源１０５により電力供給されるＬＥＤブロックの点灯パターンと
、電源１０６により電力供給されるＬＥＤブロックの点灯パターンと、が同じにならないように、各スイッチに入力するＰＷＭ信号の位相を調整する。
【００７７】
図６（Ｃ）は、点灯位相制御部１０４がスイッチａ〜ｄの開閉制御のためのＰＷＭ信号の位相をスイッチＡ〜Ｄの開閉制御のためのＰＷＭ信号の位相に対しそれぞれΔｔ１，Δｔ２，Δｔ３，Δｔ４遅らせた場合の各ＬＥＤブロックの点灯制御を示す。図６（Ｃ）において、図６（Ａ）と同様、電源１０５により電力供給されるＬＥＤブロックの点灯期間には斜線を施している。
【００７８】
Δｔ１、Δｔ２、Δｔ３、Δｔ４は、互いに等しくても良いし等しくなくても良い。図６（Ｃ）ではΔｔ１がΔｔ２、Δｔ３、Δｔ４よりも短い場合を例示している。
このようなＬＥＤブロックの点灯制御は、点灯位相制御部１０４がＰＷＭ信号を駆動切換装置８０２のスイッチＡ〜Ｄ，ａ〜ｄへ入力し、入力されるＰＷＭ信号に従ってスイッチＡ〜Ｄ，ａ〜ｄが開閉することにより実現される。
【００７９】
図６（Ｄ）は、図６（Ｃ）に示すＬＥＤブロックの点灯制御を行う場合の電源１０５、電源１０６、及びメイン電源８０１の供給電力を表す図である。図６（Ｃ）において、電源１０５により電力供給されるＬＥＤブロックの点灯パターン（Ａ点灯、Ｂ点灯、Ｃ点灯、Ｄ点灯）は図６（Ａ）と同じであるから、図６（Ｄ）に示す電源１０５の供給電力は図６（Ｂ）と同じである。電源１０６による供給電力は、電源１０５と同様、５０Ｗ又は７５Ｗであるが、図６（Ｄ）に示すように、供給電力が変化するタイミングが電源１０５とは異なる。
【００８０】
メイン電源８０１の電力供給は、図６（Ｄ）に示すように、１００Ｗ，１２５Ｗ，１５０Ｗのいずれかであり、１００Ｗから１５０Ｗへ、又は、１５０Ｗから１００Ｗへ変化する際に、途中に１２５Ｗとなる期間があるため、負荷変動幅は２５Ｗに抑えられる。このように、図６（Ｃ）に示す点灯制御を行うことにより、図６（Ａ）に示す点灯制御を行う場合よりもメイン電源８０１の最大負荷変動幅を小さくすることができる。
【００８１】
このように、電源１０５が電力供給するＬＥＤブロックと電源１０６が供給するＬＥＤブロックとで点灯パターンを異ならせることにより、メイン電源８０１の負荷変動も抑えることができる。各電源が供給する複数のＬＥＤブロック同士でも点灯パターンを異ならせることにより、各電源の負荷変動も抑えることができる。
【００８２】
なお、図６（Ａ）では、輝度ムラ補正のためにＬＥＤブロック毎に点灯期間（デューティ比）を異ならせた例を説明したが、実施例１の図３と同様に、全てのＬＥＤブロックの点灯期間が同じでも良い。その場合も、電源１０５の負荷変動のタイミングと電源１０６の負荷変動のタイミングとが重ならないように各ＬＥＤブロックの点灯パターンを調整すればよい。そうすることにより、メイン電源８０１の負荷変動幅を抑えることができる。
【００８３】
ここでは、メイン電源８０１の負荷変動幅が大きくなってしまう点灯制御の例として、図５（Ｂ）において同じ行の２つのＬＥＤブロックの点灯パターンが同一に設定される場合を示した。そして、このような点灯パターンに対してメイン電源８０１の最大負荷変動幅を低減する方法を説明した。しかし、本発明は、メイン電源８０１の最大負荷変動幅が大きくなってしまうようなその他の点灯制御に対しても適用することができる。
【００８４】
例えば、図７（Ａ）は、ＬＥＤブロック１−Ａと２−ｂ、ＬＥＤブロック１−Ｂと２−ｄ、ＬＥＤブロック１−Ｃと２−ａ、ＬＥＤブロック１−Ｄと２−ｃの組み合わせで点灯パターンが同一に設定される点灯制御の例を示す。すなわち、Ａ点灯とｂ点灯、Ｂ点灯とｄ点灯、Ｃ点灯とａ点灯、Ｄ点灯とｃ点灯が、互いに点灯タイミングが重なり且つ消灯タ
イミングが重なっている。
【００８５】
図７（Ｂ）は、図７（Ａ）に示す点灯制御を行う場合の電源１０５、電源１０６，及びメイン電源８０１の供給電力を示す図である。図７（Ａ）に示す点灯制御においても、電源１０５によって電力供給されるＬＥＤブロックと電源１０６によって電力供給されるＬＥＤブロックの点灯パターンが等しいため、電源１０５の負荷変動のタイミングと電源１０６の負荷変動のタイミングが等しくなる。そのため、メイン電源８０１の最大負荷変動幅は図６（Ｂ）と同様５０Ｗとなる。
【００８６】
図７（Ｃ）は、図７（Ａ）のＰＷＭ信号において、スイッチＡに対しスイッチｂをΔｔ１遅くし、スイッチＢに対しスイッチｄをΔｔ２遅くし、スイッチＣに対しスイッチａをΔｔ３遅くし、スイッチＤに対しスイッチｃをΔｔ４遅くした点灯制御を示す。図７（Ｄ）に示すように、各ＬＥＤブロックの点灯パターンがずれることにより、電源１０５の負荷変動のタイミングと電源１０６の負荷変動のタイミングとがずれる。図７（Ｄ）は、図７（Ｃ）に示す点灯制御を行う場合の電源１０５，電源１０６、及びメイン電源８０１の供給電力を示す図である。図７（Ｄ）に示すように、図７（Ｃ）の点灯制御を行った場合、メイン電源８０１の最大負荷変動幅は２５Ｗに低減される。
【００８７】
図６（Ｃ）や図７（Ｃ）では、図６（Ａ）や図７（Ａ）において点灯パターンが同一の２つのＬＥＤブロックの一方の点灯パターンを変更する（位相をずらす）例を示した。しかし、電源１０５の負荷変動のタイミングと電源１０６の負荷変動のタイミングが同じにならなければ、各ＬＥＤブロックの点灯パターンをどのように変更しても良い。
【００８８】
上記各実施例は、輝度の調整をＰＷＭ制御によって行う照明装置に本発明を適用した例だが、輝度の調整をＬＥＤに流す電流量によって行う照明装置にも本発明を適用できる。具体的に、図８を用いて説明する。
図８（Ａ）は、ＬＥＤブロック１−Ａ，２−ａ，１−Ｃ，２−ｃ，１−Ｄ，２−ｄを第１電流量とし、ＬＥＤブロック１−Ｂと２−ｂを第２電流量（第１電流量の２倍）とすることにより、ＬＥＤブロック１−Ｂと２−ｂの輝度を上げる点灯制御を示す図である。図８（Ｂ）は、図８（Ａ）に示す点灯制御を行う場合の電源１０５，電源１０６，及びメイン電源８０１の供給電力を示す図である。
【００８９】
電源１０５を例に説明する。第２電流量のＬＥＤブロックは供給する電力が第１電流量のＬＥＤブロックの２倍必要になる。ここでは、第１電流量のＬＥＤブロック１つあたり点灯に要する電力を２５Ｗとする。従って、第２電流量のＬＥＤブロック１−Ｂ及び２−ｂの点灯には５０Ｗの電力供給が必要である。
【００９０】
電源１０５の供給電力は、期間Ｔ３、Ｔ４、Ｔ５、Ｔ６では、第１電流量のＬＥＤブロック１個及び第２電流量のＬＥＤブロック１個を点灯させるため７５Ｗとなる。期間Ｔ１，Ｔ２，Ｔ７，Ｔ８では、第１電流量のＬＥＤブロック２個を点灯させるため電源１０５の供給電力は５０Ｗとなる。従って、電源１０５では、期間Ｔ３の開始タイミングにおいて＋２５Ｗの負荷変動が生じ、期間Ｔ７の開始タイミングにおいて−２５Ｗの負荷変動が生じる。
【００９１】
図８（Ａ）に示すように、電源１０６により電力供給されるＬＥＤブロックの点灯制御は電源１０５により電力供給されるＬＥＤブロックの点灯制御と同じであるから、電源１０６の負荷変動は電源１０５と同じである。メイン電源８０１の供給電力は期間Ｔ１、Ｔ２、Ｔ７、Ｔ８において１００Ｗ、期間Ｔ３、Ｔ４、Ｔ５、Ｔ６において１５０Ｗとなり、期間Ｔ３の開始タイミングにおいて＋５０Ｗの負荷変動が生じ、期間Ｔ７の開始タイミングにおいて−５０Ｗの負荷変動が生じる。従って、メイン電源８０１の最大負荷変動幅
は５０Ｗになる。
【００９２】
図８（Ｃ）は、第２電流量のＬＥＤブロックの点灯パターンが同じにならないように点灯パターンを調整した場合の点灯制御を示す図である。具体的には、図８（Ｃ）の点灯制御では、図８（Ａ）に示す点灯制御に対し、ｂ点灯の期間とｄ点灯の期間を入れ替えている。これにより、第２電流量のＬＥＤブロック２−ｂとＬＥＤブロック１−Ｂの点灯パターンが異なるようになる。このように、点灯位相制御部１０４は、電流量の多いＬＥＤブロックに電力供給を開始するタイミング及び終了するタイミングが、電源１０５と電源１０６とで重ならないよう、ＬＥＤブロックの点灯パターンを調整する。
【００９３】
これにより、図８（Ｄ）に示すように、電源１０５の負荷変動のタイミングと電源１０６の負荷変動のタイミングがずれるので、メイン電源８０１の負荷変動幅を小さくすることができる。なお、図８（Ｃ）の例では、電流量の多い複数のＬＥＤブロック同士で点灯期間が重ならないように点灯制御する例を示したが、点灯期間の一部は重なっていても良い。その場合でも、電流量の多い複数のＬＥＤブロック同士で点灯タイミングや消灯タイミングが重ならなければ、メイン電源の負荷変動幅を抑えることができる。
【００９４】
以上のように、本実施例によれば、ＬＥＤブロックに電力を供給する電源の負荷変動幅だけでなく、メイン電源の負荷変動幅を抑えることができる。
本発明の照明装置は、全点灯時の電力を均等に供給する複数の電源を備えることにより、各電源に必要な最大電力を低減することができる。また、１つの電源に接続される複数のＬＥＤブロックの点灯タイミングを互いに異ならせることで、各電源に必要な耐負荷変動性能を低減することができる。さらに、異なる電源に接続されるＬＥＤブロック同士で点灯タイミングを互いに異ならせ、各電源の負荷変動のタイミングを異ならせることで、複数の電源に電力を供給するメイン電源の最大負荷変動幅を低減することができる。
【００９５】
なお、上記実施例では、電源が２個、これらの電源に電力を供給するメイン電源が１個の構成の照明装置を例に説明したが、本発明は上記例示した構成に限らない。すなわち、光源へ電力を供給するＮ個の第１電源（電源）と、各々ｎ個の第１電源へ電力を供給するＭ個（Ｍ＝Ｎ／ｎ）の第２電源（メイン電源）とを備えた構成としても良い。この場合、複数の光源は、１以上の光源の集合である光源ブロックによりグループ分けされ、同一の光源ブロックに属する光源は同一のスイッチ及び同一の第１電源に接続されれば良い。また、複数の光源ブロックは、接続される第１電源が互いに同一である光源ブロックの集合である光源ブロックグループにより第１電源の数と同数にグループ分けされれば良い。
【００９６】
また、同一の光源ブロックグループに属する複数の光源ブロックは互いに異なるスイッチに接続されれば良い。また、同一の第２電源により電力を供給されるｎ個の第１電源に対応するｎ個の光源ブロックグループに属する光源ブロックが互いに異なるスイッチに接続されれば良い。上記の実施例は、Ｎ＝２，ｎ＝２，Ｍ＝１の場合である。上記実施例では、メイン電源が１個であったため、全てのＬＥＤブロックが異なるスイッチに接続された構成であったが、メイン電源が複数有る場合、異なるメイン電源により電力を供給される電源に接続されるＬＥＤ同士は、同一のスイッチに接続されていても良い。
【００９７】
なお、上記の実施例では、同一のＬＥＤブロックに属する複数のＬＥＤが同一のスイッチに接続されていた。しかし、図５（Ｃ）に示すように、スイッチはＬＥＤ毎に設けられていたも良い。この場合、同一のＬＥＤブロックに属するＬＥＤ同士で点灯パターンが同一となり、同一の第１電源に接続され且つ互いに異なるＬＥＤブロックに属するＬＥＤ同士で点灯タイミング及び消灯タイミングがともに異なるようにスイッチ毎にＰＷＭ信号が決定される。すなわち、点灯パターンが互いに同一のＬＥＤに接続されるスイッチ同士は、同一のＰＷＭ信号により駆動される。例えば、図５（Ｃ）の構成では、スイッチＡ１、
Ａ２は同一のＰＷＭ信号により駆動され，スイッチａ１，ａ２は同一のＰＷＭ信号により駆動される。また、スイッチＢ１、Ｂ２は同一のＰＷＭ信号により駆動され，スイッチｂ１，ｂ２は同一のＰＷＭ信号により駆動される。また、スイッチＣ１、Ｃ２は同一のＰＷＭ信号により駆動され，スイッチｃ１，ｃ２は同一のＰＷＭ信号により駆動される。また、スイッチＤ１、Ｄ２は同一のＰＷＭ信号により駆動され，スイッチｄ１，ｄ２は同一のＰＷＭ信号により駆動される。図５（Ｃ）の構成においても、各第１電源は複数のＬＥＤブロックにより共有されるが、同一の第１電源に接続され且つ互いに異なるＬＥＤブロックに属するＬＥＤ同士では点灯タイミング及び消灯タイミングが重ならない。よって、第１電源の負荷変動が大きくなることを抑制できる。図５（Ｃ）の構成では、例えば図６（Ｃ）の点灯パターンでＬＥＤブロックを点灯させる場合、時刻ｔＡではスイッチＡ１、Ａ２が一斉に導通状態となり、時刻ｔａではスイッチａ１，ａ２が一斉に導通状態となる。スイッチＡ１，Ａ２が導通状態になるタイミングと、スイッチａ１、ａ２が導通状態になるタイミングと、をずらすことにより、第２電源の負荷変動が大きくなることを抑制できることは上述の通りである。また、図５（Ｃ）の構成とすることで、各スイッチに流れる電流量が減るため各スイッチの負荷を低減できる。
【符号の説明】
【００９８】
１０１  光源、１０３  駆動切替装置、１０４  点灯位相制御部、１０５  電源１、１０６  電源２、２０１  照明装置
【図１】
2013045740.tif 000003
【図２】
2013045740.tif 000004
【図３】
2013045740.tif 000005
【図４】
2013045740.tif 000006
【図５】
2013045740.tif 000007
【図６】
2013045740.tif 000008
【図７】
2013045740.tif 000009
【図８】
2013045740.tif 000010